(57)【要約】      （修正有）【課題】メッセージカード等を安定して挟持することができ、かつ、大切なメッセージカードに傷が付くことなく支持することができるぬいぐるみメモホルダーを提供する。【解決手段】動物、マスコットを模してなるぬいぐるみメモホルダー１であって、ぬいぐるみメモホルダーは前方に向けて保持された少なくとも２本の挟持体４Ｌ，４Ｒを有し、挟持体の先端には上下方向に二股に分かれた挟持支持部４１が設けられ、夫々の挟持支持部内に磁力によって互いが吸着される磁気手段が内蔵されているぬいぐるみメモホルダーである。【選択図】図６
0003135907.tif 000002
【実用新案登録請求の範囲】
【請求項１】
動物、マスコットを模してなるぬいぐるみメモホルダーであって、
前記ぬいぐるみメモホルダーは前方に向けて保持された少なくとも２つの挟持体を有し、該挟持体の先端には上下方向に二股に分かれた挟持支持部が設けられ、該夫々の挟持支持部内に磁力によって互いが吸着される磁気手段が内蔵されていることを特徴とするぬいぐるみメモホルダー。
【請求項２】
前記磁気手段は、互いに磁極が対向するような磁石であることを特徴とする請求項１記載のぬいぐるみメモホルダー。
【請求項３】
前記磁気手段は、一方が磁石であり、他方が該磁石によって吸着される磁性体であることを特徴とする請求項１記載のぬいぐるみメモホルダー。
【請求項４】
前記挟持体は熊が座った状態における２本の腕であることを特徴とする請求項１記載のぬいぐるみメモホルダー。
【考案の詳細な説明】
【技術分野】
【０００１】
本考案は、メモ用紙やメッセージカード等を狭持し、かつ、見栄え良く支持するぬいぐるみメモホルダーの改良に関するものである。
【背景技術】
【０００２】
従来からメモ用紙やメッセージカード等（以下、単にメッセージカード等と称する。）の紛失を防止する方法として、粘着テープやペーパウエイトが用いられている。しかし、この方法では事務的で味気ないとして、動物やキャラクタ等のぬいぐるみを用いたものが提案されている。
【０００３】
例えば、全体を鳥を模して形成し、上下のくちばし間に設けた弾性部材によりメッセージカード等を挟持するように構成したものや、マスコット人形の背部に、金属バネの弾性によりメッセージカード等を挟持する洗濯バサミ状のクリップを取り付けたものが提案されている。
【特許文献１】実開平５−２９７８２号公報
【特許文献２】実開平４−７７９９２号公報
【考案の開示】
【考案が解決しようとする課題】
【０００４】
しかしながら、上下のくちばし間に設けた弾性部材によりメッセージカード等を挟持するものにあっては、メッセージカード等が点で挟持されることになる。このため、挟持されるメッセージカード等の安定性が悪いという問題があった。
【０００５】
また、マスコット人形の背部に設けたクリップでメッセージカードを挟持するものにあっては、メッセージカード等は線で挟持されることになるため、挟持されたメッセージカードの安定性は前記先行例よりも比較的良いが、金属バネによる弾性力が強力であるため、メッセージカード等に傷が付いてしまうという問題があった。
【０００６】
本考案は前記した問題点を解決せんとするもので、その目的とするところは、メッセージカード等を安定して挟持することができ、かつ、大切なメッセージカードに傷が付くことなく支持することができるぬいぐるみメモホルダーを提供せんとするにある。
【課題を解決するための手段】
【０００７】
本考案のぬいぐるみメモホルダーは前記した目的を達成せんとするもので、請求項１の手段は、動物、マスコットを模してなるぬいぐるみメモホルダーであって、前記ぬいぐるみメモホルダーは前方に向けて保持された少なくとも２つの挟持体を有し、該挟持体の先端には上下方向に二股に分かれた挟持支持部が設けられ、該夫々の挟持支持部内に磁力によって互いが吸着される磁気手段が内蔵されていることを特徴とする。
【０００８】
請求項２の手段は、前記した請求項１において、前記磁気手段は、互いに磁極が対向するような磁石であることを特徴とし、請求項３の手段は、前記した請求項１において、前記磁気手段は、一方が磁石であり、他方が該磁石によって吸着される磁性体であることを特徴とし、請求項４の手段は、前記した請求項１において、前記挟持体は熊が座った状態における２本の腕であることを特徴とする。
【考案の効果】
【０００９】
本考案は前記したように、ぬいぐるみメモホルダーは前方に向けて保持された少なくとも２本の挟持体を有し、該挟持体の先端には上下方向に二股に分かれた挟持支持部が設けられ、該夫々の挟持支持部内に磁力によって互いが吸着される磁気手段を内蔵したことにより、従来のようなバネ力によって挟持するようにしたものよりもメッセージカード等を安定して挟持することができ、かつ、大切なメッセージカードに傷が付くことなく保持することができるので、結婚式等の各種お祝いの言葉をメッセージカードに記載して、このメッセージカードを傷付くことなく大切に保持することができる。
【００１０】
また、磁石どうしによって挟持支持部に磁力を与えるようにしたことにより、より挟持力が働いてメッセージカード等を挟持することにより、みだりにメッセージカード等が落下することがなく、さらに、磁石と磁性体によって挟持支持部に磁力を与えるようにした場合には、磁石と磁石との組み合わせよりもコストの低減が図れると共に軽量化を図ることができる等の効果を有するものである。
【考案を実施するための最良の形態】
【００１１】
本考案は、ぬいぐるみの前方に向けて少なくとも２つの挟持体を形成し、該挟持体の先端に上下方向に二股に分かれた挟持支持部を設け、該挟持支持部内に磁力によって互いが吸着される磁気手段を内蔵したものである。
【実施例】
【００１２】
以下、本考案を実施するための最良の形態について、図面に基づいて具体的に説明する。
ここで、図１は本考案に係るぬいぐるみメモホルダーの正面図であり、図２は図１の側面図であり、図３は挟持支持部が開いた状態を示す部分拡大図であり、図４は挟持支持部が閉じた状態を示す部分拡大図であり、図５は図４の断面図であり、図６は本考案に係るぬいぐるみメモホルダーがメッセージカードを挟持した状態を示す斜視図である。
【００１３】
図１における符号１は、ぬいぐるみメモホルダー本体を示している。このぬいぐるみメモホルダー本体１は、内部に綿等のクッション材が入れられた布製のものであり、外観は動物やマスコット等の形状を模して形成されている。本実施の形態においては、熊が座っている状態をモチーフにしたものであり、頭部２と、胴部３と、腕部４Ｌ、４Ｒと、足部５Ｌ、５Ｒとを備えている。
【００１４】
腕部４Ｌ、４Ｒの先端には、挟持体の一例である上下方向に二股に分かれて熊の手に相当する挟持支持部４１が形成され、この挟持支持部４１によって後述するようにメッセージカード等を挟持するものである。この挟持支持部４１は、図３及び図４に示すように、上側支持部４１ａと下側支持部４１ｂとを備えている。
【００１５】
上側支持部４１ａ及び下側支持部４１ｂの内部には、図５に示すように、磁石６，６からなる磁気手段が設けられている。このように、磁石６，６が、ぬいぐるみメモホルダー本体における上側支持部４１ａ及び下側支持部４１ｂに内蔵されている。よって、磁気手段が外部に露出することがなく見栄えが良い。
【００１６】
磁石６，６は、異なる磁極が対向するように上側支持部４１ａと下側支持部４１ｂとに配置されている。このため、通常、上側支持部４１ａと下側支持部４１ｂは吸着され閉じた状態になっている。なお、図５において、符号７は布材、８はクッション材を示している。
【００１７】
次に、本考案に係るぬいぐるみメモホルダーの使用例について説明する。
まず、図３に示すように、ぬいぐるみメモホルダー本体１の腕部４Ｌに設けられた挟持支持部４１の上側支持部４１ａと下側支持部４１ｂとを、磁石６，６の磁力に抗して開いた状態とする。そして、上側支持部４１ａと下側支持部４１ｂとの間にメッセージカードＭＣの左側上端部を差し入れる。
【００１８】
その後、図４に示すように、上側支持部４１ａと下側支持部４１ｂとの開放力を除くと磁石６，６の磁力によってメッセージカードＭＣを挟持したまま閉じた状態となる。同様に、腕部４Ｒの挟持支持部４１についても、上側支持部４１ａと下側支持部４１ｂとを開いた状態として、メッセージカードＭＣの右側上端部を差し入れた後、磁力により閉じた状態とする。
【００１９】
これにより、図６に示すように、メッセージカードＭＣの左右上端部が、２つの腕部４Ｌ、４Ｒの挟持支持部４１，４１により挟持される。すなわち、メッセージカードＭＣは２点で挟持されることになる。このため、従来のように、メッセージカードＭＣを１点で挟持する場合と比べ、安定性が向上してメッセージカードＭＣが傾いたりすることがなくなる。
【００２０】
また、メッセージカードＭＣの支持には磁石の磁力が用いられ、クリップのような弾性部材を用いるものではないため、メッセージカードＭＣに傷を付けることもない。
【００２１】
なお、上述の実施例にあっては、磁気手段として磁石６どうしの磁力によって挟持支持部４１の上側支持部４１ａと下側支持部４１ｂを閉じるようにしたが、上側支持部４１ａと下側支持部４１ｂのいずれか一方を磁石とし、他方を該磁石によって吸着される金属等の磁性体としたものであってもよい。
【００２２】
本考案に係るぬいぐるみメモホルダーは、メッセージカードを挟持するものの他、ぬいぐるみを背の高い人形に模して製造し、該人形の腕部４Ｌ，４Ｒを下向きとすることで、写真を挟持することにより写真立てとすることもできる。
【００２３】
また、実施例にあっては、一頭の熊のぬいぐるみの腕部に挟持支持部を設けたものについて説明したが、２つのぬつぐるみを一体的に形成したものの夫々の腕や口等の所望部位を挟持支持部として磁性部材を内蔵してもよく、さらに、２つのぬいぐるみを独立して形成すると共に１つの基台に固定し、夫々のぬいぐるみの所望部位を挟持支持部として磁性部材を内蔵してもよい。
【図面の簡単な説明】
【００２４】
【図１】本考案に係るぬいぐるみメモホルダーの正面図である。
【図２】同上の側面図である。
【図３】挟持支持部が閉じた状態を示す部分拡大図である。
【図４】挟持支持部が開いた状態を示す部分拡大図である。
【図５】図４の断面図である。
【図６】本考案に係るぬいぐるみメモホルダーがメッセージカードを挟持し、支持した状態を示す斜視図である。
【符号の説明】
【００２５】
１      ぬいぐるみメモホルダー本体
２      頭部
３      胴部
４Ｌ    腕部
４Ｒ    腕部
４１    挟持支持部
４１ａ  上側支持部
４１ｂ  下側支持部
５Ｌ    足部
５Ｒ    足部
６      磁石
７      布材
８      クッション材
【図１】
0003135907.tif 000003
【図２】
0003135907.tif 000004
【図３】
0003135907.tif 000005
【図４】
0003135907.tif 000006
【図５】
0003135907.tif 000007
【図６】
0003135907.tif 000008